(57)【特許請求の範囲】
【請求項１】
一枚のシート体を、第１の折り目を介して上から下に２つ折りし、２重になった部分をさらに、上記第１の折り目と直交する第２の折り目を介してｎ個（ｎは２以上の整数）の分割面に分割するよう左右方向に折り畳むことにより、表裏各２ｎ個、計４ｎ個の分割面が重ね合わされた構成になっており、上記２重になった状態で折り畳まれた部分を左右方向に開いて表れる見開き面を、さらに上に開いて表れる、折り目によって上下左右に２ｎ個の分割面に仕切られた展開面のうち、その下半分の、折り目を介して左右方向に並ぶｎ個の分割面に、互いに組み合わせて用いられるｎ個の化粧品サンプルを個別に差し込み保持するためのポケット状サンプル収納部がそれぞれ付設されており、同じくその展開面の上半分の、折り目を介して左右方向に並ぶｎ個の分割面に、上記各サンプルにかかる化粧品の具体的な商品情報が、各サンプルの並び方と合致する配置でそれぞれ表示され、上記展開面を上から下に２つ折りした見開き面の、折り目を介して左右方向に並ぶｎ個の分割面に、上記各サンプルにかかる化粧品が属する一連の化粧品群に共通する機能等の普遍情報が、各サンプルの並び方と合致する配置でそれぞれ表示されていることを特徴とするサンプル収納具。
【請求項２】
上記ポケット状サンプル収納部が、透明プラスチックシートからなるポケットで形成されており、上記ポケット状サンプル収納部の付設面に、その部分に収納されるサンプルの使用方法が表示されている請求項１記載のサンプル収納具。
【発明の詳細な説明】
【０００１】
【発明の属する技術分野】
本発明は、化粧品等の薄型サンプルを顧客に提供する際に用いられる、サンプル収納具に関するものである。
【０００２】
【従来の技術】
従来から、化粧品メーカー等では、新商品の宣伝や従来商品の販売拡大のために、その商品の中身をごく少量だけ充填した薄型のサンプルを、店頭や街頭で無料配布している。このようなサンプルを顧客に対して配布する場合は、通常、そのサンプルに係る商品の内容，使用方法，効能，宣伝広告等を表示したシート体からなるサンプル収納具にサンプルを収納して、顧客一人一人に配布するようにしている。
【０００３】
【発明が解決しようとする課題】
しかしながら、サンプルに係る商品が、従来にない、全く新しい機能を備えたものであり、その機能が、その商品に限らず、広く関連商品群に共通して有効であるような場合、個別商品のサンプル収納具においても、その商品に関する具体的な情報だけでなく、商品に限定されない、より普遍的な情報として、その機能を強調して説明することが望ましい。また、個別の商品に限定されない全く新しい使用方法や、関連商品群に共通する商品コンセプト等を顧客に訴求したい場合、これらの情報を、個別商品のサンプル収納具を利用して、顧客に訴求することが有効である。
【０００４】
そこで、個別商品に限定されない、より普遍的な情報を、個別商品情報とともに表示したサンプル収納具が検討されているが、従来のサンプル収納具では、上記普遍情報を表示するスペースが充分にとれず、普遍情報のレベルと、個別商品情報のレベルが混在した状態で表示されることになりかねず、両者のレベルの違いを明確に示しつつ、効果的な説明表示を行うことができないという問題がある。
【０００５】
本発明は、このような事情に鑑みなされたもので、組み合わせて用いられる２個以上のサンプルが収納され、各サンプルにかかる具体的な個別商品情報と、個別商品に限定されない普遍情報とが、互いのレベルの違いが明確に区別された状態で、効果的に表示されたサンプル収納具の提供をその目的とする。
【０００６】
【課題を解決するための手段】
上記の目的を達成するため、本発明は、一枚のシート体を、第１の折り目を介して上から下に２つ折りし、２重になった部分をさらに、上記第１の折り目と直交する第２の折り目を介してｎ個（ｎは２以上の整数）の分割面に分割するよう左右方向に折り畳むことにより、表裏各２ｎ個、計４ｎ個の分割面が重ね合わされた構成になっており、上記２重になった状態で折り畳まれた部分を左右方向に開いて表れる見開き面を、さらに上に開いて表れる、折り目によって上下左右に２ｎ個の分割面に仕切られた展開面のうち、その下半分の、折り目を介して左右方向に並ぶｎ個の分割面に、互いに組み合わせて用いられるｎ個の化粧品サンプルを個別に差し込み保持するためのポケット状サンプル収納部がそれぞれ付設されており、同じくその展開面の上半分の、折り目を介して左右方向に並ぶｎ個の分割面に、上記各サンプルにかかる化粧品の具体的な商品情報が、各サンプルの並び方と合致する配置でそれぞれ表示され、上記展開面を上から下に２つ折りした見開き面の、折り目を介して左右方向に並ぶｎ個の分割面に、上記各サンプルにかかる化粧品が属する一連の化粧品群に共通する機能等の普遍情報が、各サンプルの並び方と合致する配置でそれぞれ表示されているサンプル収納具を第１の要旨とする。
【０００７】
また、本発明は、上記サンプル収納具のなかでも、特に、上記ポケット状サンプル収納部が、透明プラスチックシートからなるポケットで形成されており、上記ポケット状サンプル収納部の付設面に、その部分に収納されるサンプルの使用方法が表示されているものを第２の要旨とする。
【０００８】
【発明の実施の形態】
つぎに、本発明の実施の形態について説明する。
【０００９】
図１は、本発明の一実施の形態を示している。このサンプル収納具１は、一枚の正方形状のシート体を十字に折り畳んで冊子状に形成したもので、その表紙部分２には、長四角枠３が設けられており、その内側に、「２つのベーシックなお手入れがバランスのとれた美しい肌をつくる基本です。」という見出し４が表示されている。そして、その下に、「変わりめ素肌をいきいき元気に整えるレヴュー  フレイヤ。」という小見出し５が表示されている。なお、上記「レヴュー  フレイヤ」とは、このサンプルにかかる化粧品が属する一連の商品のブランド名である。また、６は、冊子状に形成されたサンプル収納具１の端面が開くのを防止するために表紙部分２と裏表紙部分にまたがって貼着されるシールである。
【００１０】
上記サンプル収納具１の表紙部分２を左に開くと、図２に示すような見開き面７となる。この見開き面７の、折り目Ｘを介して仕切られる左側の面の上部には、大きな「Ｗ」の文字と、これに重なる「Ｗ（ダブル）洗顔」の小さな文字とが組み合わせられた象徴記号８が表示されており、その右側に、「きちんと落として、清潔肌づくり。」という見出し９が表示されている。そして、その下に、「Ｗ洗顔とは、メイク落としのクレンジングと汚れ落としのソープで“肌を清潔にする”ことです。」の説明文１０が表示されている。
【００１１】
そして、その左下には、上記クレンジングの機能が、上下に並ぶ３つの楕円枠１１〜１３を利用して説明されている。すなわち、一番上の楕円枠１１内には、「クレンジングの働き」という見出しと「油性の汚れをクリームの中に包み込んで、取り除くことによって」という説明の導入部が表示されている。そして、その下の楕円枠１２内には、「メイクアップ料を取り除く」というクレンジングによる第１の効果が表示され、その下の楕円枠１３内には、「毛穴につまった汚れを取り除く」というクレンジングによる第２の効果が表示されている。
【００１２】
また、その右側には、上記ソープの機能が、同じく上下に並ぶ３つの楕円枠１４〜１６を利用して説明されている。すなわち、一番上の楕円枠１４内には、「ソープの働き」という見出しと「ソープの泡で汚れを包み込んで、取り除くことによって」という説明の導入部が表示されている。そして、その下の楕円枠１５内には、「皮フ表面の古い角質、チリ、ホコリを洗い流す」というソープによる第１の効果が表示され、その下の楕円枠１６内には、「硬くなりがちな角質をなめらかにする」というソープによる第２の効果が表示されている。
【００１３】
一方、見開き面７の右側の面の上部には、大きな「Ｗ」の文字と、これに重なる「Ｗ（ダブル）保湿」の小さな文字とが組み合わせられた象徴記号８′が表示されており、その右側に、「うるおいたっぷり、しなやか肌づくり。」という見出し１７が表示されている。そして、その下に、「Ｗ保湿とは、うるおいを与える化粧水とうるおいを逃さないエマルジョンで“肌のうるおいを保つ”ことです。」の説明文１８が表示されている。
【００１４】
そして、その左下には、上記化粧水の機能が、上下に並ぶ４つの楕円枠１９〜２２を利用して説明されている。すなわち、一番上の楕円枠１９内には、「化粧水の働き」という見出しと「肌に水分を補うことによって」という説明の導入部が表示されている。そして、その下の楕円枠２０内には、「うるおいを与える」という化粧水による第１の効果が表示され、その下の楕円枠２１内には、「肌あれを防ぐ」という化粧水による第２の効果が表示され、その下の楕円枠２２内には、「皮フをひきしめメイクアップのもちをよくする」という化粧水による第３の効果が表示されている。
【００１５】
また、その右側には、上記エマルジョンの機能が、同じく上下に並ぶ４つの楕円枠２３〜２６を利用して説明されている。すなわち、一番上の楕円枠２３内には、「エマルジョンの働き」という見出しと「肌に軽い油分を与えることによって」という説明の導入部が表示されている。そして、その下の楕円枠２４内には、「肌をなめらかにする」というエマルジョンによる第１の効果が表示され、その下の楕円枠２５内には、「肌の乾燥を防ぐ（水分の蒸散を防ぐ）」というエマルジョンによる第２の効果が表示され、その下の楕円枠２６内には、「ファンデーションのつき、のびをよくする」というエマルジョンによる第３の効果が表示されている。
【００１６】
したがって、この見開き面７の表示によれば、このサンプル収納具１に収納するサンプルにかかる具体的な商品についてではなく、「Ｗ洗顔・Ｗ保湿」という、商品に限定されない、より普遍的かつ重要な、美肌のための考え方について、理解することができるようになっている。
【００１７】
また、上記見開き面７を上に開いて、全体を一枚の正方形状に展開すると、図３に示すように、十字の折り目Ｘ，Ｙによって仕切られた上下左右４つの面からなる展開面２７があらわれる。この展開面２７の左上面と右上面にまたがる上部において、その左側には、「肌の疲れを明日に残さない“ワンディ・リカバー・スキンケア”。」という見出し２８が表示されており、その右側には、「レヴュー  フレイヤは、きれいになれる力があるのに一時的に元気をなくしている変わりめ素肌のためのシンプルスキンケア。……ハリのあるいきいきとした、元気な肌に整えます。」という、このサンプル収納具１に収納されるサンプルにかかる商品シリーズ（レヴュー  フレイヤシリーズ）に共通する効能を説明する文２９が表示されている。
【００１８】
そして、その下には、左右に４つの楕円枠３０〜３３が並んでおり、その内側には、左から順に、「クレンジング」、「ソープ」、「化粧水」、「エマルジョン」の小見出しが表示されている。そして、各楕円枠３０〜３３の下に、それぞれの具体的な効果の説明３４が表示され、さらにその下に、具体的な商品写真３５がそれぞれ表示されている。各商品写真３５の下には、それぞれの商品名や値段等の商品説明３６が付記されている。
【００１９】
そして、上記展開面２７の左下面と右下面には、それぞれ透明プラスチックシートからなるポケット３７，３８が取り付けられており、左のポケット３７には、その上に表示されたクレンジング商品にかかるサンプル３９とソープ商品にかかるサンプル４０とがミシン目を介して連なったサンプルセット４１が差し込み保持されるようになっている。そして、右ポケット３８には、その上に表示された化粧水商品にかかるサンプル４２とエマルジョン商品にかかるサンプル４３とがミシン目を介して連なったサンプルセット４４が差し込み保持されるようになっている。
【００２０】
なお、上記ポケット３７が取り付けられた左下面には、サンプル３９のクレンジング商品の使用方法４５と、サンプル４０のソープ商品の使用方法４６とが、左右に並べて表示されており、使用のためにサンプルセット４１を取り出した時点で、透明なポケット３７を透かして、上記使用方法４５，４６の表示を見ることができるようになっている。
【００２１】
また、上記ポケット３８が取り付けられた右下面には、サンプル４２の化粧品商品の使用方法４７と、サンプル４３のエマルジョン商品の使用方法４８とが、左右に並べて表示されており、同じくサンプルセット４４を取り出した時点で、透明なポケット３８を透かして、上記使用方法４７，４８の表示を見ることができるようになっている。
【００２２】
したがって、この展開面２７の表示をみれば、左右のポケット３７，３８に差し込み保持されたサンプルセット４１、４４にかかる商品の具体的な内容がわかるようになっている。しかも、この展開面２７における商品説明の配置は、前記見開き面７に表示された、「Ｗ洗顔・Ｗ保湿」という、美肌についての新しい考え方の説明表示と同じく、紙面左側がＷ洗顔にかかる商品の説明、右側がＷ保湿にかかる商品の説明、という配置になっているため、前記概念を踏まえて、商品内容を理解することができる。
【００２３】
なお、上記サンプル収納具１を、図１のように折り畳んだ状態における裏表紙となる部分は、図４に示すようになっている。すなわち、その上部には、左端に、大きな「Ｓ」の文字と、これに重なる「スペシャルケア」の小さな文字とが組み合わせられた象徴記号５０が表示されており、その右側に、「もっと美しく、ワンランクアップの美肌づくり。」という見出し５１が表示されている。そして、その下に、「Ｗ洗顔・Ｗ保湿のあとは、肌の働きを整えるお手入れをプラスして、“もっとキレイ”を手に入れましょう。」の説明文５２が表示されている。なお、四角枠５３内には、このサンプル収納具１によってサンプルを配布する化粧品販売店の店名や住所，電話番号等が記入（通常、スタンプによる押印）できるようになっている。
【００２４】
このように、上記サンプル収納具１によれば、収納されたサンプルセット４１，４４にかかる商品の具体的な内容についての説明表示に先立って、より普遍的な、美肌づくりのための考え方についての説明表示を見るようになっているため、顧客が、個別商品に限定されない、より深い次元での美肌づくりについての考え方を理解した上で、個別商品の必要性を認識することができる。また、サンプルセット４１，４４にかかる商品にとどまらず、同様の機能を備えた他の商品についての興味を持つことができるという利点を有する。
【００２５】
また、サンプルセット４１，４４を保持するポケット３７，３８が透明で、その内側面に、サップルセット４１，４４の中身である化粧料の使用方法等が表示されており、サンプル収納部が説明表示を兼ねた形になっているため、全体が、表示が多くてもコンパクトであるという利点を有する。
【００２６】
なお、上記の例では、サンプル収納具１として、一枚の正方形状のシート体を十字に折り畳んで冊子状にしたものを用いたが、表示すべき情報の量によって、シート体の形状および折り畳み方は、適宜に設定することができる。
【００２７】
例えば、関連づけて宣伝広告したい商品が３個以上あり、３個以上のサンプル（もしくはサンプルセット）を収納して配布する場合には、サンプルが所定数だけ左右方向に並んだ状態で収納できるような横長のシート体を用い、図５に示すように、折り目Ｙ′によって全体を２つ折りしたのち、上記第１の折り目Ｙ′に直交する複数の第２の折り目Ｘ″でこれを折り畳むことにより、サンプルＡの数に応じた分割面を左右に並べて形成することが好適である。その場合、ポケット７０によりサンプル収納部が形成された面７１の上側の面７２に、サンプルＡの並び方と合致する配置で、各サンプルＡにかかる商品情報を表示することが好適である。また、上記面７１もしくは面７２の裏側の面に、より上位概念となる普遍情報を表示することが好適である。すなわち、各情報の次元が異なっていても、それぞれの配置を合致させることで、普遍情報と個別の商品情報とを互いに関連づけて認識することができ、理解しやすいからである。
【００２８】
また、本発明において、収納すべきサンプルは、上記の例のように、２種類のサンプルがミシン目を介して連なったサンプルセット４１，４４に限られるものではなく、単独のサンプルであっても差し支えない。
【００２９】
【発明の効果】
以上のように、本発明のサンプル収納具は、互いに組み合わせて用いられる複数の化粧品サンプルを並べて差し込み保持することにより収納するようになっており、その収納された各サンプルにかかる商品の具体的な内容についての説明表示とともに、より普遍的な説明表示が、上記各サンプルの並び方と合致する配置でなされているため、顧客が、各サンプルにかかる個別商品に限定されない、より深い次元での機能等を理解した上で、それぞれの個別商品の必要性を認識することができる。また、サンプルにかかる商品にとどまらず、同様の機能を備えた他の商品についての興味を持つことができるという利点を有する。
【図面の簡単な説明】
【図１】  本発明のサンプル収納具の一実施例を示す斜視図である。
【図２】  上記実施例の一態様を示す説明図である。
【図３】  上記実施例を全面的に展開した状態を示す説明図である。
【図４】  上記実施例を折り畳んだ状態における裏面部分を示す説明図である。
【図５】  本発明の他の実施例の一態様を示す説明図である。
【符号の説明】
１    サンプル収納具
２    表紙部分
【図１】
0003833437.tif 000002
【図２】
0003833437.tif 000003
【図３】
0003833437.tif 000004
【図４】
0003833437.tif 000005
【図５】
0003833437.tif 000006